(57)【要約】      （修正有）【課題】使い勝手がよく、安全性に優れるという長所を備える粘着テープディスペンサを提供する。【解決手段】粘着テープディスペンサ１００であって、第一端１１の頂部側に拭き取り板が枢設される本体１０を備えており、拭き取り板６０にはカッター刃８０が取付けられており、本体１０は第一端１１底側に面ファスナーループ面が設けられるとともに、面ファスナーループ面に対応して第一ローラが設けられ、かつ粘着テープの繰り出し中にて、粘着テープでは第一ローラと面ファスナーループ面とを互いに擦り合わせて静電気を発生させることで、粘着テープでは使用していない時に第一ローラに付着可能となり、テープリールに巻き戻されることはなくなり、本考案は優れた安全性及び利便性を兼ね備える。【選択図】図２
0003205659.tif 000002
【実用新案登録請求の範囲】
【請求項１】
第一端および第二端を有し、前記第一端にテープ繰り出し部が設けられており、前記テープ繰り出し部に静電気発生部が設けられている本体と、
前記テープ繰り出し部に設けられており、前記静電気発生部と互いに擦れ合う帯電部と、
前記本体に設けられており、巻取軸が設けられているテープホルダと、
前記本体に設けられているカッター刃と、を備え、
粘着テープの繰り出し中にて、粘着テープでは前記帯電部と前記静電気発生部とを互いに擦り合わせて静電気を発生させるとともに、前記帯電部を帯電させることで、粘着テープを前記帯電部に付着させることを特徴とする粘着テープディスペンサ。
【請求項２】
前記テープ繰り出し部は、第一収容室であり、前記第一収容室の壁に前記静電気発生部が設けられており、
前記帯電部は、第一ローラであり、前記第一ローラが前記第一収容室に枢設されていることを特徴とする請求項１に記載の粘着テープディスペンサ。
【請求項３】
拭き取り板を更に備え、
前記本体は、前記第一端に第二収容室が設けられており、前記第二収容室の二つの側壁にそれぞれ第一規制体が設けられており、前記第一規制体と前記第二収容室の空間底との間に第一規制溝が形成されており、前記第一規制溝内に前記カッター刃が設けられており、
前記拭き取り板はプレートを有し、
前記プレートは枢接部を有し、
前記枢接部は、二つの枢接体であり、前記枢接体に枢接溝が各々設けられており、前記枢接溝に固定軸が枢接されており、前記固定軸の外径が前記枢接溝の開口幅より大きい外径であり、前記固定軸の両端が前記第二収容室の二つの側壁にそれぞれ設けられており、前記固定軸と前記第二収容室の空間底との中間に前記第一規制体が設けられており、前記固定軸に第一付勢手段が嵌設されており、前記第一付勢手段の固定端が前記本体に当接しており、前記第一付勢手段の付勢端が前記プレートに当接することで、前記プレートが前記固定軸を軸心として枢転可能となり、前記プレートの前記枢接体の所定箇所にそれぞれ連動コマが凸設されており、
前記第一規制溝にはカッター刃カセットが設けられており、前記カッター刃カセットに前記カッター刃が設けられており、
前記カッター刃カセットには前記連動コマに対応する二つの第一貫通穴が貫設されており、
前記カッター刃には前記連動コマに対応する二つの第二貫通穴が貫設されており、
前記連動コマは前記第一貫通穴及び前記第二貫通穴にこの順で順次挿入することで、前記プレートが前記カッター刃カセット及び前記カッター刃と連動することを特徴とする請求項１に記載の粘着テープディスペンサ。
【請求項４】
第二ローラをさらに備え、
前記テープホルダには第一軸棒と第二軸棒とが設けられており、
前記テープホルダは前記第一軸棒に隣接する箇所に突当て体が設けられており、
前記第一軸棒には第二付勢手段が設けられており、
前記第二付勢手段は、固定端が前記本体に当接しており、付勢端が前記突当て体に当接しており、
前記第二軸棒は前記巻取軸が嵌設されており、
前記第二ローラは前記巻取軸と前記帯電部との間に枢設されており、
前記本体は第一ケースと第二ケースとを有し、
前記第一ケースは前記第一端と前記第二端との中間位置に隣接する箇所には、長尺円弧状の第二規制体が前記第二ケースに向いて凸設されており、
前記第二規制体は、前記第一端に向いた箇所に第二規制溝が凹設されており、前記本体の頂部側に隣接する一端に位置決め棒が貫設されており、
前記テープホルダは、前記第二軸棒に隣接する箇所において前記第二規制溝に対応する規制片が凸設されており、前記規制片には前記位置決め棒に対応する切欠きが開設されており、前記切欠きが前記位置決め棒に係合可能に設けられており前記テープホルダの位置を決めるのに用いられることを特徴とする請求項１に記載の粘着テープディスペンサ。
【請求項５】
前記本体の前記第二端に設けられるとともに前記第一ケースと前記第二ケースとの間に位置する把持部をさらに備え、
前記第一ケースは、所定箇所に、少なくとも一つの第一円柱が前記第二ケースに向いて設けられており、前記第一円柱には第一固定穴が貫設されており、
前記第二ケースは、前記所定箇所に対向する箇所に、前記第一円柱に対向する第二円柱が設けられており、前記第二円柱には前記第一固定穴に対向する第二固定穴が貫設されており、
前記把持部は、グリップを有し、
前記グリップは、前記第一円柱が貫設する第三貫通穴が貫設されており、前記第二円柱が貫設する第四貫通穴が貫設されていることを特徴とする請求項４に記載の粘着テープディスペンサ。
【考案の詳細な説明】
【技術分野】
【０００１】
本考案は粘着テープディスペンサに関する。
【背景技術】
【０００２】
従来の粘着テープディスペンサは、第一端と第二端とを有する本体を備えており、本体は第一端に拭き取り板が枢設されるとともに、拭き取り板の下方にはローラが設けられており、拭き取り板とローラとの間にはカッター刃が挿設されており、本体の第二端にはハンドルが設けられており、本体内部の第一端と第二端との間には固定軸が設けられることで、使用時には、テープリールを固定軸に嵌設して、続いてテープリールの粘着テープを引き出すとともにローラに巻回させて、続いて拭き取り板にまで引き出すことで、ハンドルを把持して粘着テープを繰り出すとともに拭き取り板により貼付対象物に貼付する粘着テープを平坦にして、更にカッター刃により切断することができる。
【考案の概要】
【考案が解決しようとする課題】
【０００３】
しかしながら、粘着テープの先端はテープリールの外面に巻き戻されてしまいやすいため、使用者の使用に際してテープの先端を見つけるのが難しく、従来の粘着テープディスペンサでは使用に不便を来すという欠点があった。
【０００４】
本考案の目的は、使い勝手がよく、安全性に優れるという長所を備える粘着テープディスペンサを提供するところにある。
【課題を解決するための手段】
【０００５】
上記目的を達成するために、本考案で提供する粘着テープディスペンサは、第一端にテープ繰り出し部が設けられ、テープ繰り出し部は静電気発生部が設けられている本体と、テープ繰り出し部に設けられて、静電気発生部と互いに擦れ合うことができる帯電部と、本体に設けられるとともに、巻取軸が設けられるテープホルダとを備えており、そして本体に設けられるカッター刃を更に備える。
【０００６】
本考案が提供する粘着テープディスペンサでは、テープホルダにテープリールを装着して、テープリールはテープを繰り出すことができるものであって、粘着テープの繰り出し中にて、粘着テープでは帯電部と静電気発生部とを互いに擦り合わせて静電気が発生するとともに、帯電部が帯電することで、粘着テープが帯電部に付着し、テープリール中に巻き戻されることはなくなり、本考案では使い勝手がよく、安全性に優れるという長所を備える。
【図面の簡単な説明】
【０００７】
【図１】本考案の粘着テープディスペンサの組立て状態を示す立体図である。
【図２】本考案の粘着テープディスペンサを示す分解斜視図である。
【図３】本考案の粘着テープディスペンサのテープリールを装着した状態を示す断面図である。
【図４】本考案の図３の４−４線断面図である。
【図５】本考案における粘着テープを平坦にして切断する使用状態を示す模式図である。
【図６】本考案における粘着テープを第一ローラに付着させる使用状態を示す模式図である。
【図７】本考案におけるテープリールを交換する使用状態を示す概略図である。
【考案を実施するための形態】
【０００８】
本考案の組立て立体図、分解立体図、テープリールを装着した断面図及び本考案の図３の４−４切断線の断面図である図１ないし図４を参照する。これには粘着テープディスペンサ１００を開示しており、粘着テープディスペンサ１００は、本体１０と、把持部２０と、テープホルダ３０と、帯電部４０と、第二ローラ５０と、拭き取り板６０と、カッター刃カセット７０と、カッター刃８０とを備える。
【０００９】
本体１０は、第一端１１と第二端１２とを有し、かつ本体１０は第一端１１の底側にテープ繰り出し部１３が設けられており、テープ繰り出し部１３は第一収容室であり、第一収容室の壁には静電気発生部１４が設けられており、本体１０は対向して設けられる第一ケース１５と第二ケース１６とを含むものであって、本考案においては、本体１０は第一端１１の頂部側に第二収容室１７が凹設されるとともに、本体１０は第二収容室１７の二つの側壁にそれぞれ横方向で第一規制体１７１が設けられており、これら第一規制体１７１と第二収容室１７の空間底との間には第一規制溝１７２が形成されている。
【００１０】
また第一ケース１５における第一端１１及び第二端１２の中間位置に隣接する箇所は、長尺円弧状の第二規制体１５１が第二ケース１６に向けて凸設されており、第二規制体１５１は第一端１１に向いた箇所には第二規制溝１５２が凹設されており、そして第二規制体１５１における本体１０の頂部側に隣接する一端には位置決め棒１８が貫設され、また第一ケース１５の第二端１２箇所には少なくとも一つの第一円柱１５３が第二ケース１６に向けて設けられており、第一円柱１５３は第一固定穴１５４が貫設されており、そして第二ケース１６にて第二端１２箇所は第一円柱１５３に対向して第二円柱１６１が設けられており、第二円柱１６１は第一固定穴１５４に対向して第二固定穴１６２が貫設されており、また、第二円柱１６１の外径は第一円柱１５３の外径よりも大きく、かつ第二円柱１６１は第一円柱１５３に対応して窪み１６３が凹設されることで、第二円柱１６１は第一円柱１５３に嵌接することができる。
【００１１】
把持部２０は、本体１０の第二端１２に設けられており、本考案では、把持部２０は第一ケース１５と第二ケース１６との間に設けられるとともに、把持部２０はグリップ２１を有しており、グリップ２１は中空であって、グリップ２１における第一ケース１５に隣接する側面は第一円柱１５３に対応して第三貫通穴２１１が貫設されることで、第一円柱１５３を貫設させており、そしてグリップ２１における第二ケース１６に隣接する側面には第二円柱１６１に対応して第四貫通穴２１２が貫設されることで、第二円柱１６１を貫設させており、第二円柱１６１は螺着手段３００により第一円柱１５３に螺着され、ひいては把持部２０を本体１０に組付ける。
【００１２】
テープホルダ３０は、本体１０内に設けられるとともに、テープホルダ３０は間隔を置いて第一軸棒３１と第二軸棒３２とが設けられており、またテープホルダ３０は第一軸棒３１に隣接する箇所に突当て体３３が凸設されており、第一軸棒３１は第二付勢手段３４が嵌設けられており、第二付勢手段３４はトーションスプリングであって、第二付勢手段３４の固定端３４１は本体に当接しており、第二付勢手段３４の付勢端３４２は突当て体３３に当接しており、第二軸棒３２は巻取軸３５が嵌設されており、テープホルダ３０における第二軸棒３２に隣接する箇所は第二規制溝１５２に対応して規制片３６が凸設されており、規制片３６は位置決め棒１８に対応して切欠き３６１が開設されており、切欠き３６１は位置決め棒１８に係合するように設けられることで、テープホルダ３０を位置決めすることができる。
【００１３】
帯電部４０は、テープ繰り出し部１３に枢設されており、そして静電気発生部１４と互いに擦れ合い可能であって、本考案では、帯電部４０の材質は熱可塑性樹脂材料（ＴＰＲ）であり、帯電部４０は第一ローラとしている。
【００１４】
第二ローラ５０は、第一ケース１５及び第二ケース１６に枢設されるとともに、巻取軸３５と帯電部４０との間に位置する。
【００１５】
拭き取り板６０は、第一端１１の頂部側に枢設されており、拭き取り板６０はプレート６１を含み、プレート６１は枢接部６１１を有しており、枢接部６１１は二つの枢接体であり、これら枢接体は枢接溝６１２が各々設けられており、そしてこれら枢接溝６１２には横方向の固定軸６２が枢接されており、固定軸６２の外径は枢接溝６１２の開口幅よりも概ね大きく、固定軸６２の両端は第二収容室１７の二つの側壁にそれぞれ設けられるとともに、固定軸６２と第二収容室１７の空間底との間にはこれら第一規制体１７１が設けられており、固定軸６２は第一付勢手段６３が嵌設されており、第一付勢手段６３はトーションスプリングであって、第一付勢手段６３の固定端は本体１０に当接しており、第一付勢手段６３の付勢端６３２はプレートに当接することで、プレート６１が固定軸６２を軸心として枢転可能となり、プレート６１のこれら枢接体箇所はそれぞれ更に連動コマ６１３が凸設されている。
【００１６】
カッター刃カセット７０は、拭き取り板６０の枢接部６１１に設けられているものであり、本考案では、カッター刃カセット７０はこれら連動コマ６１３に対応して第一貫通穴７１が貫設されることで、これら連動コマ６１３をこれら第一貫通穴７１に挿入させることができる。
【００１７】
カッター刃８０は、カッター刃カセット７０に設けられているものであり、本考案では、カッター刃８０はこれら連動コマ６１３に対応して二つの第二貫通穴８１が貫設されることで、これら連動コマ６１３をこれら第一貫通穴７１及び第二貫通穴８１に順次挿入させることででき、これにより、プレート６１はこれら連動コマ６１３を通じてカッター刃カセット７０及びカッター刃８０を連動させることができる。
【００１８】
続いて図３及び図５を参照する。使用者が粘着テープディスペンサ１００を使用する際には、テープリール２００を巻取軸３５に設けて、更にテープリール２００の粘着テープ２０１をまず第二ローラ５０及び帯電部４０の外側を巻回させるとともにプレート６１の一方側にまで引き出すことで、使用者は把持部２０を把持して、粘着テープ２０１を貼付対象物上に貼付して、ひいては粘着テープ２０１を繰り出すことができ、そして使用者が粘着テープ２０１を切断したい時には、プレート６１を貼付対象物に向けて押当てるだけで、プレート６１が固定軸６２に沿って回転することになり、この時、プレート６１はカッター刃カセット７０をこれら第一規制溝１７２にて外側に移動するように連動するとともに、カッター刃８０が伸出して、更に粘着テープ２０１を切断した後、そして第一付勢手段６３がプレート６１に付勢するように当接するとともに、カッター刃カセット７０及びカッター刃８０を縮退させて、粘着テープディスペンサ１００のカッター刃８０を平常状態時にて本体１０に縮退させるようになることで、けがを防止することで、安全性を高めることができる。
【００１９】
引き続き、本考案における粘着テープを第一ローラに付着させる使用概略図である図６を参照する。テープ繰り出し部１３は静電気発生部１４が設けられることで、帯電部４０は使用状態で回転して、粘着テープ２０１では帯電部４０と静電気発生部１４とを互いに擦り合わせて静電気を発生して、粘着テープ２０１を帯電部４０に付着させて、テープリール２００中に巻き戻されるということがなくなる。
【００２０】
本考案にて、静電気発生部１４は一定長さの起毛繊維であり、しかも面ファスナーループ面（Ｖｅｌｃｒｏ）とすることができ、しかも帯電部４０の材質は熱可塑性樹脂材料（ＴＰＲ）とすることで、静電気を生成して帯電させやすくしている。
【００２１】
図２及び図４を参照する。粘着テープディスペンサ１００は繰り出し中にて、テープホルダ３０は規制片３６を通じて第二規制溝１５２に規制されるとともに、突当て体３３には第二付勢手段３４が当接することで、テープホルダ３０に第二ローラ５０に向けての予圧力を持たせるとともに、巻取軸３５及びテープリール２００を第二ローラ５０に当接して、ひいてはテープホルダ３０を固定することになり、これにより、粘着テープ２０１を繰り出す騒音を低減して、静音効果を達成する。続いて本考案におけるテープリールを交換する使用概略図である図７を参照する。使用者がテープリール２００を交換したい時には、テープホルダ３０を上に押し動かすだけで、規制片３６を第二規制溝１５２にて上方向に移動させると、切欠き３６１を位置決め棒１８に係合することで、テープホルダ３０の位置を固定して、テープリール２００を交換することができる。
【００２２】
言及しておくべきは、図４を参照するに、第二円柱１６１は第一円柱１５３よりも大きく、しかも第二円柱１６１は第一円柱１５３に対応して窪み１６３が凹設されることで、第一円柱１５３及び第二円柱１６１をそれぞれ第三貫通穴２１１及び第四貫通穴２１２に貫通させた後、第二円柱１６１は第一円柱１５３に嵌設することができ、最終的に螺着手段３００が第一固定穴１５４及び第二固定穴１６２を貫通することで、第一ケース１５、第二ケース１６及び把持部２０を結合して固定することができ、ひいては本考案に組み付けが簡便で生産製造しやすいという長所を持たせるというものであって、そしてこれ以外に、図２に示すように、グリップ２１外側にはハウジング２２が更に嵌設されており、ハウジング２２の材質はグリップ２１とは異なり、滑り止め効果を有し、更には把持部２０が二色の態様となることで、把持部２０の滑り止め効果を高めるだけでなく、更に美観に優れるという長所を持たせることができるということである。
【００２３】
更に言及しておくべきは、拭き取り板６０は固定軸６２、第一付勢手段６３及びこれら連動コマ６１３はカッター刃カセット７０及びカッター刃８０をこれら第一規制溝１７２にて伸縮させるものであり、カッター刃８０を交換したい時には、まず固定軸６２の外径がこれら枢接溝６１２の開口幅よりも大きいという特徴により、使用者は拭き取り板６０を手早く取り外すだけで、カッター刃カセット７０及びカッター刃８０を退出させてカッター刃８０を交換することができることにより、カッター刃８０を手早く伸縮及び交換するという効果を達成することができるということである。
【符号の説明】
【００２４】
１０  本体、
１１  第一端、
１２  第二端、
１３  テープ繰り出し部、
１４  静電気発生部、
１５  第一ケース、
１５１  第二規制体、
１５２  第二規制溝、
１５３  第一円柱、
１５４  第一固定穴、
１６  第二ケース、
１６１  第二円柱、
１６２  第二固定穴、
１６３  窪み、
１７  第二収容室、
１７１  第一規制体、
１７２  第一規制溝、
１８  位置決め棒、
２０  把持部、
２１  グリップ、
２１１  第三貫通穴、
２１２  第四貫通穴、
２２  ハウジング、
３０  テープホルダ、
３１  第一軸棒、
３２  第二軸棒、
３３  突当て体、
３４  第二付勢手段、
３４１  固定端、
３４２  付勢端、
３５  巻取軸、
３６  規制片、
３６１  切欠き、
４０  帯電部、
５０  第二ローラ、
６０  拭き取り板、
６１  プレート、
６１１  枢接部、
６１２  枢接溝、
６１３  連動コマ、
６２  固定軸、
６３  第一付勢手段、
６３１  固定端、
６３２  付勢端、
７０  カッター刃カセット、
７１  第一貫通穴、
８０  カッター刃、
８１  第二貫通穴、
１００  粘着テープディスペンサ、
２００  テープリール、
２０１  粘着テープ、
３００  螺着手段。
【図１】
0003205659.tif 000003
【図２】
0003205659.tif 000004
【図３】
0003205659.tif 000005
【図４】
0003205659.tif 000006
【図５】
0003205659.tif 000007
【図６】
0003205659.tif 000008
【図７】
0003205659.tif 000009